(57)【要約】【課題】断熱容器の使用前及び使用中に支障が生じない範囲で可能な限り簡便に容器本体とスリーブとを分離できる断熱容器を提供する。【解決手段】断熱容器１Ａは、プラスチックを素材としたカップ本体２と、カップ本体２の胴部４の外周面を覆う紙製のスリーブ３とを有し、カップ本体２は、胴部４の上端部４ａが半径方向外側に丸められたカール部６を備え、スリーブ３の上端部３ａがカール部６と胴部４の外周面との間に差し込まれることにより、スリーブ３がカール部６と胴部４とによって支持される。【選択図】図１
2008174254.tif 000002
【特許請求の範囲】
【請求項１】
プラスチックを素材としたカップ状の容器本体と、前記容器本体の胴部の外周面を覆う紙製のスリーブとを有した断熱容器において、
前記容器本体は、前記胴部の上端部が半径方向外側に丸められたカール部を備え、
前記スリーブの上端部が前記カール部と前記胴部の外周面との間に差し込まれることにより、前記スリーブが前記カール部と前記胴部とによって支持されていることを特徴とする断熱容器。
【請求項２】
前記カール部は、前記半径方向外側に膨んで内部空間を形成する湾曲部と、前記湾曲部に続く上向きの先端部とを有し、前記スリーブの上端部には、前記カール部の前記先端部よりも上方に位置して前記内部空間内に収まり、かつ前記先端部と前記胴部との間に形成される隙間よりも前記半径方向外側へ広がるように形成された抜け止め部が設けられていることを特徴とする請求項１に記載の断熱容器。
【請求項３】
前記抜け止め部として、前記スリーブの上端部が前記半径方向外側かつ下向きに折り返された折り返し部が設けられていることを特徴とする請求項２に記載の断熱容器。
【請求項４】
前記抜け止め部として、前記スリーブの上端部に設けられて前記半径方向外側に膨らみ、かつ周方向に延びる突条部が設けられていることを特徴とする請求項２に記載の断熱容器。
【請求項５】
前記抜け止め部として、前記スリーブの上端部に設けられて前記半径方向外側に外径が広がる段差部が設けられていることを特徴とする請求項２に記載の断熱容器。
【発明の詳細な説明】
【技術分野】
【０００１】
本発明はプラスチックを素材としたカップ状の容器本体の外周面を紙製のスリーブで覆った断熱容器に関する。
【背景技術】
【０００２】
熱湯等の高温液体の注入に適した断熱容器として、容器本体の胴部が覆われるようにその外周面に紙製のスリーブが被せられたものが広く知られている（例えば、特許文献１）。このような断熱容器は、スリーブと胴部との間に空隙が形成され、その空隙が断熱層として機能するため断熱容器を持つ使用者の手に内容物の熱が伝わり難くなっている。このような断熱容器において、容器本体をプラスチックの成形品とすることで、紙で容器本体を構成するものに比べて設計自由度を向上させるとともに、内容物の漏れ等の成形不良を防止したものが知られている（特許文献２）。
【０００３】
【特許文献１】実開平４−４５２１２号公報
【特許文献２】特開２０００−３４４２８１号公報
【発明の開示】
【発明が解決しようとする課題】
【０００４】
特許文献２のように、容器本体の素材をプラスチックとし、スリーブの素材を紙とした場合には断熱容器の使用後の分別廃棄が必要となる。そのため、使用後の分別廃棄を容易に実現するには、断熱容器の使用前及び使用中に支障が生じない範囲で可能な限り簡便に容器本体とスリーブとを分離できることが望ましい。
【０００５】
そこで、本発明は、断熱容器の使用前及び使用中に支障が生じない範囲で可能な限り簡便に容器本体とスリーブとを分離できる断熱容器を提供することを目的とする。
【課題を解決するための手段】
【０００６】
以下、本発明の断熱容器について説明する。なお、本発明の理解を容易にするために添付図面の参照符号を括弧書きにて付記するが、それにより本発明が図示の形態に限定されるものではない。
【０００７】
本発明の断熱容器は、プラスチックを素材としたカップ状の容器本体（２）と、前記容器本体の胴部（４）の外周面を覆う紙製のスリーブ（３、２３、３３、４３）とを有した断熱容器（１Ａ〜１Ｄ）において、前記容器本体は、前記胴部の上端部（４ａ）が半径方向外側に丸められたカール部（６）を備え、前記スリーブの上端部（３ａ、２３ａ、３３ａ、４３ａ）が前記カール部と前記胴部の外周面との間に差し込まれることにより、前記スリーブが前記カール部と前記胴部とによって支持されていることにより、上述した課題を解決する。
【０００８】
この断熱容器によれば、スリーブの上端部がカール部と胴部の外周面との間に差し込まれることにより、スリーブの上端部がカール部の弾性力によって胴部の外周面に押し付けられて、スリーブがカール部と胴部とによって支持される。スリーブに下向きの力が作用した場合には、スリーブとカール部及び胴部のそれぞれとの間に摩擦力が生じるのでスリーブが抵抗無く外れることがない。そのため、スリーブを容器本体に組み付ける際にスリーブと容器本体との間に接着剤等を介在させる必要がない。これにより、使用前及び使用中にスリーブが容器本体から安易に外れることがなく、かつ使用後にある程度の力でスリーブを引き下げることでスリーブと容器本体とを簡便に分離することができる。
【０００９】
本発明の一態様において、前記カール部は、前記半径方向外側に膨んで内部空間（Ｓ）を形成する湾曲部（６ａ）と、前記湾曲部に続く上向きの先端部（６ｂ）とを有し、前記スリーブの上端部には、前記カール部の前記先端部よりも上方に位置して前記内部空間内に収まり、かつ前記先端部と前記胴部との間に形成される隙間よりも前記半径方向外側へ広がるように形成された抜け止め部（２３ｂ、３３ｂ、４３ｂ）が設けられていてもよい。この態様によれば、抜け止め部がカール部の先端部と胴部との間に形成される隙間よりも半径方向外側へ広がっているので、スリーブが下方向に引き下げられた場合にはカール部の先端部に抜け止め部が突き当たり、スリーブが容器本体から抜け難くなる。
【００１０】
この態様における抜け止め部としては種々の態様で構成してよいが、例えば、前記抜け止め部として、前記スリーブの上端部が前記半径方向外側かつ下向きに折り返された折り返し部（２３ｂ）が設けられていてもよい。この場合、折り返し部が延びる方向と先端部の向きとが互いに逆向きになり、これらが互いに引っ掛かり易くなるので、スリーブの抜け止め効果が向上する。
【００１１】
また、前記抜け止め部として、前記スリーブの上端部に設けられて前記半径方向外側に膨らみ、かつ周方向に延びる突条部（３３ｂ）が設けられてもよいし、前記抜け止め部として、前記スリーブの上端部に設けられて前記半径方向外側に外径が広がる段差部（４３ｂ）が設けられてもよい。これらの態様によれば、突条部の膨らみや段差の大きさによるが、単純にスリーブの上端部を折り返す場合よりも、スリーブの上端部をカール部と胴部の外周面との間に差し込む際の抵抗が少なくて済むので、スリーブと容器本体とを組み合わせる際にスリーブが座屈する等の不具合が生じ難く、断熱容器の生産性が向上する利点がある。
【発明の効果】
【００１２】
以上説明したように、本発明の断熱容器によれば、スリーブの上端部がカール部の弾性力によって胴部の外周面に押し付けられて、スリーブがカール部と胴部とによって支持される。スリーブに下向きの力が作用した場合には、スリーブとカール部及び胴部のそれぞれとの間に摩擦力が生じるのでスリーブが抵抗無く外れることがないため、スリーブを容器本体に組み付ける際にスリーブと容器本体との間に接着剤等を介在させる必要がない。これにより、使用前及び使用中にスリーブが容器本体から安易に外れることがなく、かつ使用後にある程度の力でスリーブを引き下げることでスリーブと容器本体とを簡便に分離することができる。
【発明を実施するための最良の形態】
【００１３】
（第１の形態）
図１は本発明の一形態に係る断熱容器を示し、図２は図１の部分拡大図である。これらの図に示すように、断熱容器１Ａは容器本体としてのカップ状のカップ本体２とその外周面を覆う紙製の筒状のスリーブ３とを組み合わせて構成される。カップ本体２は胴部４と底部５とを有する略円錐台形に形成される。カップ本体２は胴部４の上端部４ａが半径方向の外側に向かって丸められたカール部６を備える。カップ本体２の素材には、ＰＰ（ポリプロピレン）、ＰＥＴ（ポリエチレンテレフタレート）等のプラスチックが使用され、このようなプラスチックのシートを真空成形法や圧空成形法等の成形法を利用して図示の形態に成形される。カップ本体２は、プラスチックの素材を射出成形法にて図示の形態に成形することもできる。また、多層シート等のプラスチックを素材とするいわゆるバリア容器としてカップ本体２を形成してもよい。カップ本体２に設けられるカール部６は、種々の方法で形成可能であるが、このカール部６は上述した種々の素材、成形法によって得られたカップ状の成形品の開口部を周知のカール金型（不図示）に押し付けることにより形成されてもよい。
【００１４】
スリーブ３は不図示の扇形のブランクの両端部を貼り合わせることにより形成され、その下端には内向きのカール部７が設けられる。断熱容器１Ａは、スリーブ３の上端部３ａをカップ本体２のカール部６と胴部４の外周面との間に差し込んで、カップ本体２とスリーブ３とを組み合わせることにより形成される。図２に詳しく示すように、カップ本体２のカール部６は、内部空間Ｓが形成されるように半径方向外側に膨らむ湾曲部６ａとこの湾曲部６ａに続く上向きの先端部６ｂとを備える。スリーブ３の上端部３ａがカール部６に差し込まれることにより、先端部６ｂと胴部４との隙間Ｇが押し広げられ、カール部６の弾性力によってスリーブ３の上端部３ａが胴部４の外周面に押し付けられる。これにより、スリーブ３はカール部６と胴部４とによって支持される。スリーブ３が押し付けられる強さはスリーブ３の素材の厚さ、カップ本体２の材質及び胴部４の厚さ、並びにカール部６の先端部６ｂと胴部２との隙間Ｇの大きさを適宜設定することにより調整可能である。
【００１５】
断熱容器１Ａによれば、スリーブ３に下向きの力が作用した場合には、スリーブ３とカール部６及び胴部４のそれぞれとの間に摩擦力が生じるのでスリーブ３が抵抗無く外れることがない。そのため、スリーブ３をカップ本体２に組み付ける際にスリーブ３とカップ本体２との間に接着剤等を介在させる必要がない。これにより、使用前及び使用中にスリーブ３がカップ本体２から安易に外れることがなく、かつ使用後にある程度の力でスリーブ３を引き下げることでスリーブ３とカップ本体２とを簡便に分離することができる。よって断熱容器１Ａの使用後の分別廃棄が容易になる。
【００１６】
（第２の形態）
次に、図３及び図４を参照して本発明に係る第２の形態を説明する。図３は第２の形態に係る断熱容器を示し、図４は図３の部分拡大図である。これらの図において第１の形態と同一構成に同一符号を付すことにより、重複する説明を省略する。これらの図に示した断熱容器１Ｂにおいては、スリーブ２３の上端部２３ａに抜け止め部としての折り返し部２３ｂが設けられている。図４に示すように、折り返し部２３ｂはスリーブ２３の上端部２３ａを半径方向外側かつ下向きに折り返すことにより構成されており、折り返し部２３ｂは先端部６ｂと胴部４との間に形成される隙間Ｇよりも半径方向外側へ広がるように形成されてカール部６の先端部６ｂの上方に位置して内部空間Ｓに収まっている。
【００１７】
断熱容器１Ｂによれば、折り返し部２３ｂがカール部６の先端部６ｂと胴部４との間に形成される隙間Ｇよりも半径方向外側へ広がっているので、スリーブ３が下方向に引き下げられた場合にはカール部６の先端部６ｂに折り返し部２３ｂが突き当たり、スリーブ３がカップ本体２から抜け難くなる。しかも、折り返し部２３ｂが延びる方向と先端部６ｂの向きとが互いに逆向きになり、これらが互いに引っ掛かり易くなるため、スリーブ３がカップ本体２からより抜け難くなる。
【００１８】
本発明は以上の形態に限定されず、本発明の要旨の範囲内で種々の形態にて実施できる。本発明に係る抜け止め部は図３及び図４に示された形態に限定されない。例えば、図５に示すように、スリーブ３３の上端部３３ａに抜け止め部としての突条部３３ｂが設けられた断熱容器１Ｃにて本発明を実施することもできる。図５に示した突条部３３ｂは半径方向外側に膨らみ、かつスリーブ３３の周方向に延びている。また、図６に示すように、スリーブ４３の上端部４３ａに抜け止め部としての段差部４３ｂが設けられた断熱容器１Ｄにて本発明を実施することもできる。図６に示した段差部４３ｂは半径方向外側に外径が広がるように形成される。
【００１９】
図５及び図６に示した形態では、突条部３３ｂの膨らみや段差部４３ｂの段差の大きさによるが、図３及び図４に示した形態よりも、各スリーブ３３、４３をカール部６と胴部４の外周面との間に差し込む際の抵抗が少なくて済むので、各スリーブ３３、４３とカップ本体２とを組み合わせる際に各スリーブ３３、４３が座屈する等の不具合が生じ難く、断熱容器の生産性が向上する。
【図面の簡単な説明】
【００２０】
【図１】本発明の一形態に係る断熱容器を示した図。
【図２】図１の部分拡大図。
【図３】第２の形態に係る断熱容器を示した図。
【図４】図３の部分拡大図。
【図５】図４の抜け止め部の変形例を備えた断熱容器を示した図。
【図６】図４の抜け止め部の他の変形例を備えた断熱容器を示した図。
【符号の説明】
【００２１】
１Ａ〜１Ｄ  断熱容器
２  カップ本体（容器本体）
３、２３、３３、４３  スリーブ
３ａ、２３ａ、３３ａ、４３ａ  上端部
４  胴部
４ａ  上端部
６  カール部
６ａ  湾曲部
６ｂ  先端部
２３ｂ  折り返し部（抜け止め部）
３３ｂ  突条部（抜け止め部）
４３ｂ  段差部（抜け止め部）
Ｓ  内部空間
【図１】
2008174254.tif 000003
【図２】
2008174254.tif 000004
【図３】
2008174254.tif 000005
【図４】
2008174254.tif 000006
【図５】
2008174254.tif 000007
【図６】
2008174254.tif 000008